(57)【要約】      （修正有）【課題】購入者が特定商品を一定期間、希望する価格で試し購入した上で商品の本購入、返品を選択可能にする商品購入システムを提供する。【解決手段】販売購入システムは、複数の端末Ｒｎ、Ｐｎ、Ｃｎと、管理サーバＳと、オークションサイトサーバＡＳとを有する。端末から特定商品ａ１の販売価格と試し購入価格が管理サーバＳに送信され、オークションサイトサーバＡＳにダブルオークション開始要求を送信し、各端末よりａ２の販売者ｐｎと購入者ｒｎを決定するダブルオークションが閲覧可能な状態におかれる。管理サーバＳは販売価格と試し購入価格に関する入札価格の最高値ペアデータｐｄｎを、オークションサイトサーバに送信し、端末から閲覧させ、その時点でオークションサイトサーバに保存されている最高値ペアデータｐｄｎを取得し、次代商品ａ２の販売価格と試し購入価格の落札価格を決定し、商品ａ２に関するダブルオークションを開始させる。【選択図】図２
2007226758.tif 000002
【特許請求の範囲】
【請求項１】
複数の端末、および該端末の各々と接続する管理サーバと、オークションサイトを運営し、該管理サーバと接続するオークションサイトサーバとを有する販売購入システムであって、特定商品に関する販売者の販売価格と、前記特定商品を試し購入する購入者の試し購入価格と試し購入期間とを含む情報が該端末から前記管理サーバに送信され、該購入者から試し購入期間後に該特定商品が返品された場合、ネット上で再販売される次代品に関して、前記次代品に関するネット上でのオークションが開始され、前記特定商品の販売価格の一部を分担する第三者の端末に、前記販売価格と前記試し購入価格とを含む試し購入情報を送信する販売購入システムにおいて、
前記管理サーバは、前記販売価格と前記試し購入価格と試し購入期間とを含む情報に前記次代品のオークション開始要求を付して前記オークションサイトサーバに送信するステップと、当該オークションサイトサーバは、前記次代品の販売を希望する該次代品販売者と前記次代品の試し購入を希望する該次代品購入者が参加するダブルオークションの開始情報を該ダブルオークション参加希望者の端末から閲覧可能にするステップと、該端末から入力される、該次代品の販売価格と該次代品の試し購入価格の各入札価格を保存するステップとを有する、前記特定商品の試し購入によって、前記次代品のダブルオークションがインターネット上で開始されることを特徴とする販売購入システム。
【請求項２】
請求項１記載の販売購入システムであって、
前記特定商品が試し購入後に返品された場合、該返品情報が該端末から前記管理サーバに送信され、前記次代品のダブルオークションを成立終了させ、前記次代品の販売者と購入者が決定され、該決定者の端末に前記ダブルオークションの落札通知を閲覧させ、前記第三者の端末に、決定された前記次代品の販売価格から試し購入価格を引いた前記次代品の購入分担価格と、前記次代品の所有権移行の通知が送信される販売購入システムにおいて、
前記管理サーバは、該端末から送信される該返品情報を受信するステップと、前記オークションサイトサーバに保存された前記次代品の販売価格と試し購入価格がペアになった最高値ペアデータを落札価格として取得するステップと、前記落札価格を該次代品の販売価格と試し購入価格とに決定するステップと、前記落札者の該端末から該落札価格と該落札者決定通知を閲覧させるステップとを有する、該端末からの前記返品情報によって該次代品のダブルオークションが成立確定することを特徴とする販売購入システム。
【請求項３】
請求項２記載の販売購入システムであって、
前記ダブルオークションで該次代品の販売価格と試し購入価格の落札価を決定する管理サーバにおいて、前記次代品販売希望者の端末から入札されたすべての販売入札価格を、前記次代品試し購入希望者の端末から閲覧させるステップと、前記次代品試し購入希望者が、閲覧する前記販売価格の中から購入希望価格を選択し、該端末から送信される前記販売価格に対する試し購入入札価格を受信するステップと、前記試し購入価格が入札された販売価格の最高値と、前記最高値よりも高く試し購入の入札がない単独販売価格とを該オークションサイトサーバに送信し該端末より閲覧可能な状態におくステップと、前記最高値とペアになっている試し購入価格よりも高い価格で試し購入を希望するオークション参加者がいる場合、該端末から送信される新たな試し購入入札価格の高値が受信されるステップと、前記新たな試し購入入札価格の高値とペアになった前記販売価格の最高値とが最高値ペアデータとして保存されるステップと、前記最高値ペアデータの販売価格よりも高い単独販売価格で購入を希望する試し購入希望者がいる場合、該端末から送信される前記最高値ペアデータの販売価格よりも高い単独販売価格に対する試し購入入札価格が受信されるステップと、前記最高値ペアデータの販売価格よりも高い単独販売価格とそれに入札された試し購入価格の組み合わせを、新たな最高値ペアデータに書き換えるステップと、前記新たな最高値ペアデータを該オークションサイトサーバに送信するステップと、該端末から該購入者の返品情報を受信すると、該オークションサイトサーバに保存されているその時点での最高値ペアデータを取得し、該最高値ペアデータを該次代品の販売価格と試し購入価格の落札価に決定するステップを有することを特徴とする管理サーバ。
【請求項４】
請求項１記載の販売購入システムであって、
該購入者が試し購入した場合、該管理サーバは、前記販売者の販売価格から前記購入者の試し購入価格を引いた第三者購入分担価格を自動算出するステップと、該第三者購入分担価格を記憶装置に格納し、該第三者の端末からのアクセスに応じて、前記記憶装置に格納された該第三者購入分担価格を閲覧可能な状態にするステップと、該購入者が試し購入後に特定商品を本購入する場合、前記管理サーバは、該記憶装置に格納された該第三者購入分担価格を前記本購入価格に書き換え、該端末から前記本購入価格を閲覧可能な状態にし、前記オークションサイトサーバに該ダブルオークション中止の旨を告知し、該端末からダブルオークション中止情報を閲覧可能な状態にするステップを有する、該購入者の本購入によって該次代品のダブルオークションが中止されることを特徴とする販売購入システム。
【請求項５】
請求項１記載の販売購入システムであって、
特定商品を販売する任意ｎ代の販売者の販売価格と、前記特定商品の試し購入を希望する任意ｎ代の購入者の試し購入価格が該端末から前記管理サーバに送信され、該任意ｎ代の購入者から試し購入後に返品される任意ｎ＋１代の商品に関するネット上でのオークション開始を、前記オークションサイトサーバが任意ｎ＋１代の商品のオークション参加希望者の端末に閲覧させる販売購入システムにおいて、
前記管理サーバは、任意ｎ代の購入者の試し購入価格に任意ｎ＋１代の商品のオークション開始要求を付して前記オークションサイトサーバに送信し、当該オークションサイトサーバは、任意ｎ＋１代の商品の販売仕入希望者と試し購入希望者が参加するダブルオークションの開始情報を該ダブルオークション参加希望者の端末で閲覧可能にし、該端末から入力される任意ｎ＋１代の商品販売仕入価格と試し購入価格の入札価格を保存する、任意ｎ代の購入者の試し購入によって任意ｎ＋１代のダブルオークションが開始される、任意の整数ｎでこれが成立することを特徴とする販売購入システム。
【請求項６】
請求項２、および３記載の販売購入システムであって、
任意ｎ代の購入者が試し購入後に該特定商品を返品した場合、該返品情報が該端末から前記管理サーバに送信され、前記ダブルオークションを成立終了させ、任意ｎ＋１代の販売者と購入者が決定され、該決定者の端末に前記ダブルオークションの落札通知を閲覧させる販売購入システムにおいて、
前記管理サーバは、該端末から任意ｎ代の購入者の返品情報を受信し、前記オークションサイトサーバに保存された任意ｎ＋１代の商品の販売仕入価格と試し購入価格の前記最高値ペアデータを落札価格として取得し、前記落札価格を任意ｎ＋１代の商品販売価格と試し購入価格とに決定し、該端末から該落札価格を閲覧させる、任意ｎ代の購入者の返品によって任意ｎ＋１代の商品のダブルオークションが成立確定し、前記ダブルオークションの成立によって任意ｎ＋１代の商品の試し購入が決定し、任意ｎ＋２代のダブルオークションが開始される、任意の整数ｎでこれが成立することを特徴とする販売購入システム。
【請求項７】
請求項３、５、および６記載の販売購入システムであって、
購入者が試し購入後に返品し、該商品の販売者から前記販売者が認めた任意の回数（または個数）、複数の別商品を試し購入する場合、前記各別商品を前記購入者が本購入するまで前記ダブルオークションが繰り返し行われることを特徴とする販売購入システム。
【請求項８】
請求項４、および３、５、６、７記載の販売購入システムであって、
前記購入者の試し購入を可能にする販売価格の一部を分担する第三者の端末をクレジット会社を含む金融決済関連会社の端末とする販売購入システムにおいて、
該商品の試し購入期間を、前記購入者と前記金融決済関連会社間で合意された決済期間とすることで、前記金融決済関連会社の決済システムのサーバと結ばれた前記管理サーバは、前記販売者の販売価格から前記購入者の試し購入価格を引いた前記金融決済関連会社購入分担価格を自動算出し、前記金融決済関連会社購入分担価格を記憶装置に格納するステップと、前記購入者が試し購入後に特定商品を本購入する場合、前記管理サーバは、該記憶装置に格納された前記金融決済関連会社購入分担価格を前記本購入価格に書き換え、前記本購入価格に本購入情報を付して前記金融決済関連会社の端末に送信するステップと、該購入者が試し購入後に特定商品を返品する場合、前記管理サーバは該ダブルオークションで決定された次代品の販売価格から試し購入価格を引いた次代品購入分担価格を自動算出するステップと、前記次代品購入分担価格と次代品の所有権移行の通知が前記金融決済関連会社の端末に送信されるステップと、前記次代品購入者の端末から電子決済に関する個人情報が前記金融決済関連会社の端末に送信されるステップを有する、購入者が、前記金融決済関連会社が提供する、決済方式別には前払い型プリペイドカード、後払い型クレジットカード、即時払い型デビットカードのいずれか、あるいは電子マネーカードや決済機能を持つ携帯電話等の端末を含む電子決済を利用して、商品を試し購入できることを特徴とする販売購入システム。
【発明の詳細な説明】
【技術分野】
【０００１】本発明は通信ネットワークを利用し、商品購入者にメリットのある商品購入方法と、商品販売者にメリットのある商品販売法を創出するための、商品の販売購入システムに関する。
【背景技術】
【０００２】インターネットの登場によって、小売りの形態およびその販売チャンネルは、従来型のリアル店鋪での販売形態に加え、オンライン上での電子商取り引き、インターネットオークションなど、様々な形態のものが登場している。【０００３】またリアルな小売店での決済はもとより、オンライン上での電子商取り引きやネットオークションでの決済手続きとしても、クレジットカードやエディカード、携帯電話等を使った電子決済方法が登場し普及している。
【発明の開示】
【発明が解決しようとする課題】
【０００４】然し乍ら、販売の形態や決済方法が多様になっているのに比較して、購入価格に関しては画一的で、オークションを除いては、購入価格のほとんどは販売者によって決められた価格であり、さらにオークションも含めて、購入価格は販売者によって決められたその全額の支払い（クレジットカード等による分割・リボ払い等の方法も、金利も含めれば最終的には販売価格の全額以上）が基本で、それ以外の選択枝はないのが現状となっている。【０００５】また、販売サイドにおいては、商品から得られる収益は、一般的には商品を最初の購入者に販売した際の販売利益を主体としているのが現状で、その商品が最初の所有者から次の購入者（以下次代と表記）の手に渡る際に生み出す次代商品の利益は、所有者がオークションによって確保するか、または中古品取り扱い業者等が得ているのが現状であり、最初の販売者がその販売商品に商品力がある限り生み出し続ける可能性があるその利益を、引き続き連続して確保するようなシステムは、これまで存在しない。【０００６】さらに、インターネットでのショッピングやオークションなど、リアルな販売店を介さない販売方法では、購入前に現品を実際に確認することができないため、不良品や偽ブランド品が売買されるようなトラブルも頻繁に発生している。【０００７】本発明は上記のような課題に鑑み、購入者が希望商品を一定期間、希望する価格で試し購入し、使用し納得した上で商品の本購入を可能にすると共に、予め短期間だけ所有したい購入者のニーズ等にも対応可能な購入者主体の商品購入システム、および商品の所有権が次代の所有者へとタイムロスなく引き継がれ、その度に生み出される販売利益の確保を可能にする商品販売システムを含む，商品の販売購入システムを提供する。
【課題を解決するための手段】
【０００８】本発明の販売購入システムは、複数の端末と、それぞれの端末と接続する管理サーバと、オークションサイトを運営し、管理サーバと接続するオークションサイトサーバとを持つ販売購入システムであって、特定の商品を販売する販売者と、商品を試し購入する購入者と、その商品の販売価格から購入者の試し購入価格を引いた金額を分担する第三者間において、販売者の販売価格と、購入者の試し購入価格が端末から管理サーバに送信されると、購入者から試し購入後に商品が返品され、ネット上で再販売される次代品に関するネット上でのオークション開始を、オークションサイトサーバが次代商品のオークション参加希望者の端末に閲覧させ、販売価格の一部を分担する第三者の端末に販売価格と試し購入価格を送信する販売購入システムに関するものである。そして本発明においては、管理サーバは、購入者の試し購入価格に次代商品のオークション開始要求を付してオークションサイトサーバに送信し、オークションサイトサーバは、次代商品の販売希望者と、次代商品の試し購入希望者が参加して行われるダブルオークションの開始情報を、このオークションへの参加希望者の端末で閲覧可能にし、端末から入力される次代商品の販売価格と試し購入価格の入札価格を保存する、販売者の試し購入によって次代商品の販売者と購入者を決めるダブルオークションがインターネット上で開始されることを特徴とする。【０００９】この結果、商品の購入者は販売者が定めた販売価格以下の希望価格で一定期間試し購入することができるようになり、さらに、この商品の試し購入が実行されると同時に、その商品に対する次の購入者と販売者を決定する次代商品のダブルオークションがインターネット上で開始されることになる。【００１０】また本発明の販売購入システムは、購入者が試し購入後に商品を返品し、次代商品の販売が決定すると、商品の返品情報は端末から管理サーバに送信され、次代商品のダブルオークションを成立終了させ、次代販売者と購入者が決定され、決定者の端末にダブルオークションの落札通知を閲覧させる販売購入システムに関するものである。そして本発明においては、管理サーバは、端末から購入者の返品情報を受信し、オークションサイトサーバに保存された次代商品の販売価格と試し購入価格がペアになった最高値ペアデータを落札価格として取得し、各落札価格を次代商品の販売価格と試し購入価格とに決定し、落札者の端末から落札価格と落札者決定通知を閲覧させることを特徴としている。【００１１】このように商品購入者からの返品によって次代商品の販売者と試し購入者を決めるダブルオークションが成立確定し、その結果、次代商品に関しても落札が決定した販売価格から試し購入価格を引いた金額を第三者が分担するような試し購入が実行されることで、さらにその次代品が返品された場合の次次代品に関するダブルオークションが開始される。【００１２】ダブルオークションで販売価格と試し購入価格の落札価を決定する本発明における管理サーバは、オークションサイトサーバに保存されているすべての次代品の販売入札価格を、試し購入希望者の端末から閲覧させるステップと、閲覧する販売価格から購入者が購入してもよい入札価格を選択し、端末から入札送信されたその販売価格に対する試し購入価格を受信するステップとを有している。そして本発明における管理サーバは、試し購入価格が入札された販売価格の最高値と、その最高値よりも高い価格となっている入札がない単独販売価格とをオークションサイトサーバに送信し、端末より閲覧可能な状態におくステップとを有している。さらに本発明における管理サーバは、販売価格の最高値とペアになっている試し購入価格以上で入札を希望する者がいる場合、端末から入札送信されるその試し購入価格を受信するステップと、その販売価格と試し購入価格が最高値ペアデータとして保存されるステップと、その最高値よりも高い単独販売価格で購入を希望する試し購入希望者がいる場合、端末から入札送信される試し購入価格を受信するステップと、その高い販売価格とそれに入札された試し購入価格の組み合わせを、新たな最高値ペアデータに書き換えるステップと、その新たな最高値ペアデータをオークションサイトサーバに送信するステップと、端末から購入者の返品情報を受信すると、このオークションサイトサーバに保存されたその時点での最高値ペアデータを取得し、その最高値ペアデータを次代品の販売価格と試し購入価格の落札価に決定するステップを有することを特徴としている。【００１３】この次代商品に関するダブルオークションによって、購入希望者は、欲しい商品の試し購入価格と、それを最終的に購入する際の本購入価格の双方を選択することが可能となり、販売希望者も、入札する販売価格を購入希望者の動向を見ながら決めることができ、もとの商品販売者もオークションに参加することで引き続き次代商品の販売者にもなり得る。さらに販売者により返品された商品が点検、確認されることで次代品の品質が保証される。【００１４】さらに本発明の販売購入システムは、購入者が商品を試し購入した場合、管理サーバは販売者の販売価格から購入者の試し購入価格を引いた第三者購入分担価格を自動算出し、この第三者購入分担価格を記憶装置に格納して、第三者の端末からのアクセスに応じて、記憶装置に格納された第三者購入分担価格を閲覧可能な状態にするステップを有している。そして本発明においては、購入者が試し購入後に商品を本購入する場合、管理サーバは、記憶装置に格納された第三者購入分担価格を本購入価格に書き換え、販売者の端末から本購入価格を閲覧可能な状態にし、オークションサイトサーバにダブルオークション中止の旨を告知し、端末からダブルオークション中止情報を閲覧可能な状態にするように、購入者の本購入によって次代商品のダブルオークションが中止されることを特徴としている。【００１５】また本発明の販売購入システムは、任意の整数ｎに対して、特定商品を販売する任意ｎ代の販売者の販売価格と、特定商品の試し購入を希望する任意ｎ代の購入者の試し購入価格が端末から管理サーバに送信され、任意ｎ代の購入者によって試し購入後に返品される任意ｎ＋１代の商品に関するネット上でのダブルオークションの開始を、オークションサイトサーバが任意ｎ＋１代の商品のダブルオークション参加希望者の端末に閲覧させ、管理サーバは、任意ｎ代の購入者の試し購入価格に任意ｎ＋１代の商品のオークション開始要求を付してオークションサイトサーバに送信し、オークションサイトサーバは、任意ｎ＋１代の商品の販売仕入希望者と試し購入希望者が参加するダブルオークションの開始情報を、オークション参加希望者の端末で閲覧可能にし、端末から入力される任意ｎ＋１代の商品販売仕入価格と試し購入価格の入札価格を保存する、任意ｎ代の購入者の試し購入によって任意ｎ＋１代のダブルオークションが開始されることを特徴としている。【００１６】さらに本発明の販売購入システムは、任意の整数ｎに対して、任意ｎ代の購入者が試し購入後に商品を返品した場合、管理サーバは該端末から送信された返品情報を受信してダブルオークションを成立終了させ、任意ｎ＋１代の販売者と購入者を決定し、決定者の端末にダブルオークションの落札通知を閲覧させる販売購入システムに関するものである。そして本発明においては、管理サーバは、端末から任意ｎ代の購入者の返品情報を受信し、オークションサイトサーバに保存された任意ｎ＋１代の商品の販売仕入価格と試し購入価格の最高入札価格を落札価格として取得し、落札価格を任意ｎ＋１代の商品販売価格と試し購入価格とに決定し、落札者の端末から各落札価格を閲覧させるように、任意ｎ代の購入者の返品によって任意ｎ＋１代の商品の販売者と試し購入者を決めるダブルオークションが成立確定し、任意ｎ＋１代の商品に関しても試し購入が実行されることで、任意ｎ＋２代の商品のダブルオークションが開始されることを特徴としている。【００１７】このため、この販売購入システムによって商品が試し購入された場合、その商品の本購入が行われるまで、繰り返し次代の販売者と購入者を決めるダブルオークションが連続して実行されることになる。【００１８】また本発明の販売購入システムは、購入者が試し購入後に特定商品を返品し、その商品を販売した同じ販売者が任意の回数、さらに複数の別商品を試し購入することを認めた場合、これら各々の別商品を購入者が試し購入後に本購入を決定するまで、ダブルオークションが繰り返し行われることを特徴としている。【００１９】さらに本発明の販売購入システムは、購入者の試し購入を可能にする販売価格の一部を分担する第三者の端末をクレジット会社や金融決済関連会社の端末とする場合、商品の試し購入期間を、購入者と金融決済関連会社間で合意された決済期間とする時、管理サーバは、販売者の販売価格から購入者の試し購入価格を引いた購入分担価格を自動算出し、この購入分担価格を記憶装置に格納し、購入者が試し購入後に商品を本購入する場合、記憶装置に格納された購入分担価格を本購入価格に書き換え、この本購入価格に本購入情報を付して金融決済関連会社の端末に送信するステップを有す。そして本発明では購入者が商品を返品する時、管理サーバはダブルオークションで決定された次代品の販売価格から試し購入価格を引いた次代品購入分担価格を自動算出し、次代品の購入分担価格と所有権移行の通知を金融決済関連会社の端末に送信し、次代品購入者の端末から電子決済に関する個人情報が金融決済関連会社の端末に送信されるステップを有するように、購入者が、前記金融決済関連会社が提供する前払い型プリペイドカード、後払い型クレジットカード、即時払い型デビットカードのいずれか、あるいは電子マネーカードや決済機能を持つ携帯電話等の端末を含む電子決済を利用して、商品を試し購入できることを特徴とする。
【発明の効果】
【００２０】このように、本発明の販売購入システムによれば、購入者は通常の販売価格以下の試し購入価格で商品を購入することが可能となり、試し購入期間の後に、その商品を本購入するか、返品するかを決めることが可能となる。【００２１】そして、本発明の販売購入システムによれば、販売者は販売商品に商品力がある限り生み出し続ける販売利益を、何度も確保することが可能となる。【００２２】さらに本発明の販売購入システムによれば、購入者は商品を返品し、同じ販売者からまた別の商品を試し購入することが可能となる。【００２３】また本発明の販売購入システムによれば、販売者は、試し購入を可能とすることで購入者の絶対数を増やし、さらにその購入者に別商品への買替えを促進させることで増益をはかることが可能となる。【００２４】そして本発明の効果として、特定商品の販売価格の一部を分担する購入分担第三者においては、その特定商品が本購入されるまで、返品、試し購入、買替えが繰り返し実行される度に収益を得ることが可能となる。【００２５】従来の販売システムでは大きな問題だった商品在庫の問題も、本発明の販売購入システムでは、常に試し購入している購入者自身が、次の購入者の手に渡るまでの在庫管理者となるため、在庫に関するスペース、および在庫コストの問題は発生しない。【００２６】また、社会的な視点においても、商品購入者は常にそれを次の販売品として意識しながら使用するため、購入後でも商品は常に大切に扱われることになり、同時に商品力のある物は、世代を越えて価値が保たれるため、大量生産大量消費の時代から、本当にいいものだけが生産され、それが持続して使われていくロハス的な社会実現にも貢献する。
【発明を実施するための最良の形態】
【００２７】本発明の販売購入システムの実施例を、以下図面に基づいて詳細に説明する。図１には本発明の全体構成図を示す。商品ａ１の販売者ｒ１、購入者ｐ１、販売価格の一部を分担する購入分担第三者ｃ１、さらに商品ａ１が購入者ｐ１から返品され次代品ａ２としてオークションに登録された場合、次代品ａ２のオークションに関して、仕入販売を希望する次代品販売者ｒ２と、試し購入を希望する次代品購入者ｐ２とがおり、販売者ｒ１の端末Ｒ１、購入分担第三者ｃ１の端末Ｃ１、次代品販売者ｒ２の端末Ｒ２、次代品購入者ｐ２の端末Ｐ２は、各々インターネット等の通信ネットワーク１０１に接続されている。接続端末Ｒ１、Ｃ１、Ｒ２、Ｐ２はパーソナルコンピュータの他、携帯電話等の通信機能を有する端末を用いることができる。図１では次代品ａ２のオークションに参加する次代品販売者ｒ２と次代品購入者ｐ２とは各々１名、各端末Ｒ２、Ｐ２も各１台ずつを表示しているが、参加者数、参加端末数ともに制限はないことを前提とする。また販売者は一般小売店のようにリアルな店舗でもよく、インターネットや通販での販売・オークションを行う販売者でもよい。また販売者が扱う商品ａ１は、通常の小売品に加えて、不動産、会員権、絵画など、あらゆる物品サービスが含まれ、新品・中古を問わない。販売価格の一部を分担する購入分担第三者は、銀行等の各種金融機関が想定できるが、図２ではクレジット会社とした場合の例を示す。【００２８】通信ネットワーク１０１にはさらに、構成員のための入札支援情報を提供する各種の入札支援データベース１を有する管理サーバＳと、ネット上の仮想ダブルオークションサイト１０２を管理するオークションサイトサーバＡＳが接続している。【００２９】図２は、この販売購入システムで購入者が販売者から商品を試し購入する度に開始され、商品が試し購入後に返品されると落札者が確定され、商品が本購入されると中止される、次代品の販売者と購入者が参加するダブルオークションの流れを示す。商品の販売価格の一部を分担する第三者をクレジット会社とし、管理サーバＳとクレジット決済システムのサーバを結ぶことで、購入者ｐ１は販売者ｒ１が加盟するクレジットカードを使用して、商品ａ１を購入する場合が示されている。図中、商品ａ１が購入者ｐ１から試し購入されると、販売者ｒ１の端末Ｒ１は、ａ１の品名、販売価格３８０００円、試し購入価格８０００円、試し購入期間１カ月、販売者名等のオークション情報を管理サーバＳに送信する（ステップ１）と、管理サーバＳは各情報とともにオークションサイトサーバＡＳに、次代品ａ２に関するダブルオークション開始要求を送信し（ステップ２）、オークションサイトサーバＡＳは、商品ａ１の返品を想定し、ネット上で販売される商品ａ２の販売者と購入者を決めるダブルオークションが開始された旨を、入札のために必要な各種支援データとともに、ダブルオークションへの参加希望者の端末ＲｎとＰｎに表示し（ステップ３）、クレジット会社の決済システムサーバに、ａ１の販売価格と試し購入価格を添えたカード購入情報を送信する（ステップ４）。【００３０】図２において、商品ａ２のダブルオークションへの販売希望参加者の端末Ｒｎから、最初の販売入札価格として１００００円が入札される（ステップ５）と、管理サーバＳは販売価格１００００円の商品ａ２の情報をオークションサーバＡＳに送信し、オークションサーバＡＳは、商品ａ２の購入を希望する参加者の端末Ｐｎからのリクエストに応じて商品ａ２の販売価格１００００円の情報を表示させ（ステップ６）、Ｐｎから１００００円の販売価格に対して試し購入価格５００００円が入札される（ステップ７）。このダブルオークションは商品ａ１の試し購入期間である１カ月間行われ、以下、図３に示す過程で販売価格として１００００円に続いて、１５０００円、１９０００円、２１０００円が各参加者から入札され、試し購入価格としては５０００円に続き、８０００円、６０００円、７０００円、７２５０円が各参加者から入札された場合（図３参照）、管理サーバＳはそれらの入札情報があるたびに入札データを更新しながら、商品ａ１の試し購入期間にあたる１カ月後、商品ａ１の返品情報が端末から送信され（ステップ８）、商品ａ２のダブルオークションの確定が要求されると、管理サーバＳはオークションサイトサーバＡＳに保存されているａ２の試し購入価格が付いた販売価格の最高値と、その販売価格に対する試し購入価格の最高値の組み合わせを取得し（ステップ９）、それら各々の最高値をａ２の販売価格と試し購入価格の落札価に決定し、決定した落札価格を各決定者の端末から、落札者決定通知とともに告知する（ステップ１０）。この管理サーバＳによる各落札価格の決定の過程は、図３で示す。クレジット会社の決済システムサーバには、決定された商品ａ２の販売価格から試し購入価格を引いた商品ａ２の購入分担価格と、所有権移行の通知が送信され（ステップ１１）、商品ａ２の試し購入者の端末から、商品ａ２の試し購入に必要なクレジッドカード情報が送信される（ステップ１２）。【００３１】図２に示すように、商品ａ１の試し購入期間終了後、購入者ｐ１が商品ａ１を本購入する場合、販売者ｒ１の端末Ｒ１から本購入情報が管理サーバＳに送信される（ステップ１３）と、管理サーバＳはオークション中止の決定をオークションサイトサーバＡＳに送信し（ステップ１４）、商品ａ２に関するダブルオークションの中止の旨をオークションサイト上に表示させる（ステップ１５）。さらに管理サーバＳは、クレジットカード会社の端末Ｃｎに、商品ａ１の本購入情報を送信する（ステップ１６）。【００３２】管理サーバＳに備えられたデータベースによって決定されるダブルオークションの落札価格確定の過程を、図３に示す。商品ａ１を販売者ｒ１が３８０００円で販売し、購入者ｐ１の試し購入価格ａ１ｔが８０００円、クレジット会社分担価格ａ１ｃが３００００円で商品ａ２のダブルオークションａ２ＷＡが開始されている。このダブルオークション商品ａ２の販売を希望する最初の入札者ａ２ｒ１が１００００円を入札する（ステップ１７）と、管理サーバＳは商品ａ２の販売価格を１００００円としてオークションサイトサーバＡＳに送信し、オークションサイトサーバＡＳは通信ネットワーク１０２で結ばれている端末から、商品ａ２に関しての販売価格を１００００円とするオークション情報を表示する。この情報を端末で閲覧し、１００００円で商品ａ２を本購入してもよいと考える、最初の試し購入希望者ａ２ｐ１は、自分が希望する試し購入価格として５０００円を端末から入札する（ステップ１８）と、１００００／５０００というペアデータｐｄ１が管理サーバＳに送信され、管理サーバＳはこのペアデータｐｄ１を、販売価格１００００円／試し購入５０００円というその時点での各最高値として各端末に表示させる。さらに１００００円以上で落札したい商品ａ２の販売希望者ａ２ｒ２から販売価１５０００円が入札され（ステップ１９）、ａ２ｒ３から１９０００円が入札され（ステップ２０）、さらにａ２ｒ４から２１０００円が入札される（ステップ２１）と、入札データは各端末から管理サーバＳに送信され、管理サーバＳに備えられたデータベースは商品ａ２の販売価格の入札価格に１５０００円と１９０００円と２１０００円とを書き加え、オークションサイトサーバＡＳに新たな販売価格１５０００円、１９０００円、２１０００円を加えた商品ａ２の最新販売価格情報を端末から表示させる。この情報を閲覧した商品ａ２の試し購入希望者ａ２ｐ２が、販売価格１５０００円の入札に対し８０００円の試し購入価格を入札し（ステップ２２）、ａ２ｐ３が販売価格１９０００円の入札に対して６０００円の試し購入価格を入札し（ステップ２３）、さらにａ２ｐ４が販売価格１９０００円の入札に対して７０００円の試し購入価格を入札し（ステップ２４）、販売価格２１０００円に対して入札がなかった場合、管理サーバＳのデータベースは、その時点で試し購入価格の入札があった販売価格の最高値である１９０００円と、その販売価格での試し購入価格の最高値７０００円をその時点での最高値ペアデータ１９０００／７０００ｐｄ２として記憶格納し、オークションサイトサーバＡＳに送信し、オークション参加者の端末から販売価格１９０００円／試し購入価格７０００円というその時点での最高値と、１９０００円以上で入札があった単独販売価格２１０００円を引き続き表示させ、その価格で試し購入したい希望者を募る。そしてこの単独販売価格２１０００円に対しての試し購入価格の入札がなく、販売価格１９０００円に対してさらにａ２ｐ５が７２５０円の試し購入価格を入札（ステップ２５）した場合、管理サーバＳはその時点での最高値ペアデータｐｄ３を１９０００／７０００から１９０００／７２５０に書き換え、オークションサイトサーバＡＳに送信し、端末からその時点での最高値である販売価格１９０００円／試し購入価格７２５０円と単独販売価格２１０００円を引き続き閲覧させ、このプロセスは商品ａ１の試し購入期間中続けられ、試し購入期間後、商品ａ１が返品される（ステップ２６）と、商品ａ１の販売者ｒ１の端末Ｒ１から商品ａ１の返品情報が管理サーバＳに送信され（ステップ２７）、商品ａ２のダブルオークションａ２ＷＡが成立確定し、管理サーバＳはその時点でオークションサイトサーバＡＳに保存されている最高値ペアデータ１９０００／７２５０ｐｄ３を取得し、商品ａ２の販売落札価格として１９０００円、商品ａ２の試し購入落札価格として７２５０円を決定する（ステップ２８）。【００３３】図２において、ステップ１０と同時に、オークションサイトサーバＡＳは商品ａ３に関するダブルオークションが開始される旨を、前記のステップ４と同様の過程をもって実行し、以下、商品ａ３の試し購入期間中に実施されるダブルオークションは、前記したステップ５〜７、および図３に示した過程で進行し、また商品ａ３の本購入に伴うダブルオークションの中止は、前記ステップ１３〜１６と同様の過程、さらに商品ａ３の返品に伴うダブルオークションの成立確定は、前記ステップ８〜１２、および図３に示した過程で実行される。以上、図２、図３で示す通り、商品ａｎが試し購入されると、商品ａｎ＋１の販売者と購入者を決めるダブルオークションが開始され、商品ａｎが返品されると、商品ａｎ＋１のダブルオークションが成立確定して落札者が決定し、その落札者によって商品ａｎ＋１が試し購入された情報が端末から管理サーバＳに送信されると、さらに商品ａｎ＋２の販売者と購入者を決めるダブルオークションが開始されるように、商品ａｎに関する試し購入と返品によって商品ａｎ＋１のダブルオークションの開始と成立確定が実行され、これは任意の整数ｎで成立する。さらにこの一連の過程は、商品ａｎを試し購入した購入者ｐｎが商品ａｎを返品し、さらに同じ販売者ｒｎから、別商品ｂｎ、さらに別商品ｃｎ……と、購入者ｐｎが返品・買替えを繰り返す場合も同様に適応されることで、別商品ｘｎに関する次代販売品ｘｎ＋１のダブルオークションも同様に繰り返し実行され、これは商品ａｎの販売者ｒｎから購入される任意の商品ｘｎで成立する。
【図面の簡単な説明】
【００３４】
【図１】  本発明の販売購入システムに関する全体構成図である。
【図２】  本発明のダブルオークションの流れを示すフローチャートである。
【図３】  図２に示す管理サーバが決定する落札価格の確定過程の図と落札価格等の例証図である。
【符号の説明】
【００３５】１０１  通信ネットワーク
１０２  ダブルオークションサイト
Ｓ  管理サーバ
ＡＳ  オークションサイトサーバ
ａ１、ａ２  商品
Ｐｎ  購入者端末
Ｒｎ  販売者端末
Ｐｄｎ  最高値ペアデータ
Ｃｎ  購入分担第三者端末
【図１】
2007226758.tif 000003
【図２】
2007226758.tif 000004
【図３】
2007226758.tif 000005